(57)【要約】  本願は、信号伝送方法と装置とを提供する。遠隔無線ユニットＲＲＵが中央アクセススポイントＡＰにより送信される第１のパケットを受信し、第１のパケットの第１のフィールドがパケット伝送用の物理層構成状況パラメータを示すのに用いられる。ＲＲＵは、第１のフィールドに基づいてパケット伝送状態を構成し、パケット伝送状態に基づいて、データを含む第２のパケットをステーションに送信する。このようにして、ＭＡＣ層の機能の中央ＡＰへの移管が本願の実施形態において実現されるので、ＲＲＵのコスト及び電力消費が減少する。
2021519563.tif 000002
【特許請求の範囲】
【請求項１】
信号伝送方法であって、
遠隔無線ユニット（ＲＲＵ）が中央アクセススポイント（ＡＰ）により送信される第１のパケットを受信する段階であって、前記第１のパケットは第１のフィールドを含み、前記第１のフィールドはパケット伝送用の物理層構成状況パラメータを示すのに用いられる、段階と、
前記ＲＲＵが前記第１のフィールドに基づいてパケット伝送状態を構成する段階と、
前記ＲＲＵが前記パケット伝送状態に基づいて第２のパケットをステーションに送信する段階であって、前記第２のパケットはデータを含む、段階と
を備える信号伝送方法。
【請求項２】
前記物理層構成状況パラメータは、以下の構成状況サブパラメータのうちの少なくとも１つ、すなわち、エアインタフェースパケットを示すフォーマット、前記エアインタフェースパケットがサウンディングフレームであるかどうか、前記エアインタフェースパケットの伝送速度、前記エアインタフェースパケットの変調フォーマット、前記エアインタフェースパケットのバイト長、スクランブラの初期設定値、前記エアインタフェースパケットを伝送するための伝送エネルギーレベル、前記エアインタフェースパケットのプリアンブルタイプ、前記エアインタフェースパケットを伝送するためのチャネル幅、前記エアインタフェースパケットを伝送するためのチャネルオフセット、前記エアインタフェースパケットを伝送するためのガードインターバル、前記エアインタフェースパケットの拡張空間ストリームの数、前記エアインタフェースパケットの伝送チェーンの数、前記エアインタフェースパケットのチャネル行列、及び前記エアインタフェースパケットの拡張行列タイプのうちの少なくとも１つを含む、請求項１に記載の信号伝送方法。
【請求項３】
前記第１のパケットはさらに第２のフィールドを含み、前記第２のフィールドは前記データを搬送するのに用いられる、請求項１又は２に記載の信号伝送方法。
【請求項４】
前記第１のパケットはさらに第３のフィールドを含み、前記第３のフィールドはパケット終了識別子を搬送するのに用いられ、前記信号伝送方法はさらに、
前記ＲＲＵが前記パケット終了識別子に基づいて終了指示情報を前記中央ＡＰに送信する段階を備える、請求項１から３のいずれか一項に記載の信号伝送方法。
【請求項５】
前記第１のフィールドは第１のインデックス値を搬送し、前記ＲＲＵが前記第１のフィールドに基づいてパケット伝送状態を構成する前記段階は、
前記ＲＲＵが、前記第１のインデックス値とマッピング関係とに基づいて、前記第１のインデックス値に対応する第１の構成状況サブパラメータを決定する段階であって、前記マッピング関係は少なくとも１つのインデックス値と少なくとも１つの構成状況サブパラメータとのマッピング関係である、段階と、
前記ＲＲＵが前記第１の構成状況サブパラメータに基づいて前記パケット伝送状態を構成する段階と
を有する、請求項１から４のいずれか一項に記載の信号伝送方法。
【請求項６】
前記第１のフィールドはさらに第１のサブフィールドを含み、前記第１のサブフィールドは、前記ＲＲＵのＰＨＹ層モジュールのレジスタにおける前記物理層構成状況パラメータの各構成状況サブパラメータのアドレスを示すのに用いられ、前記ＲＲＵが前記第１のフィールドに基づいてパケット伝送状態を構成する前記段階は、
前記ＲＲＵが、前記第１のサブフィールドに基づいて、前記物理層構成状況パラメータの各構成状況サブパラメータを前記ＰＨＹ層モジュールの対応するレジスタに格納する段階を有する、請求項１から５のいずれか一項に記載の信号伝送方法。
【請求項７】
前記第１のフィールドはさらに第２のサブフィールドを含み、前記第２のサブフィールドは、前記第１のフィールドにあって且つ前記物理層構成状況パラメータの構成状況サブパラメータを示すのに用いられるサブフィールドの位置を示す、請求項１から６のいずれか一項に記載の信号伝送方法。
【請求項８】
遠隔無線ユニット（ＲＲＵ）であって、前記ＲＲＵは請求項１から７のいずれか一項に記載の信号伝送方法を行うことができる、ＲＲＵ。
【請求項９】
中央アクセススポイント（ＡＰ）であって、
パケットを生成するように構成された処理モジュールであって、前記パケットは第１のフィールドを含み、前記第１のフィールドはパケット伝送用の物理層構成状況パラメータを示すのに用いられる、処理モジュールと、
前記パケットを遠隔無線ユニット（ＲＲＵ）に送信するように構成された送受信機モジュールと
を備える中央ＡＰ。
【請求項１０】
前記物理層構成状況パラメータは、以下の構成状況サブパラメータのうちの少なくとも１つ、すなわち、エアインタフェースパケットを示すフォーマット、前記エアインタフェースパケットがサウンディングフレームであるかどうか、前記エアインタフェースパケットの伝送速度、前記エアインタフェースパケットの変調フォーマット、前記エアインタフェースパケットのバイト長、スクランブラの初期設定値、前記エアインタフェースパケットを伝送するための伝送エネルギーレベル、前記エアインタフェースパケットのプリアンブルタイプ、前記エアインタフェースパケットを伝送するためのチャネル幅、前記エアインタフェースパケットを伝送するためのチャネルオフセット、前記エアインタフェースパケットを伝送するためのガードインターバル、前記エアインタフェースパケットの拡張空間ストリームの数、前記エアインタフェースパケットの伝送チェーンの数、前記エアインタフェースパケットのチャネル行列、及び前記エアインタフェースパケットの拡張行列タイプのうちの少なくとも１つを含む、請求項９に記載の中央ＡＰ。
【請求項１１】
前記パケットはさらに第２のフィールドを含み、前記第２のフィールドはデータを搬送するのに用いられる、請求項９又は１０に記載の中央ＡＰ。
【請求項１２】
前記パケットはさらに第３のフィールドを含み、前記第３のフィールドはパケット終了識別子を搬送するのに用いられ、前記送受信機モジュールはさらに、終了指示情報を受信するように構成される、請求項９から１１のいずれか一項に記載の中央ＡＰ。
【請求項１３】
前記第１のフィールドは第１のインデックス値を搬送し、前記第１のインデックス値は第１の構成状況サブパラメータに対応する、請求項９から１２のいずれか一項に記載の中央ＡＰ。
【請求項１４】
前記第１のフィールドはさらに第１のサブフィールドを含み、前記第１のサブフィールドは、前記ＲＲＵのＰＨＹ層モジュールのレジスタにおける前記物理層構成状況パラメータの各構成状況サブパラメータのアドレスを示すのに用いられる、請求項９から１３のいずれか一項に記載の中央ＡＰ。
【請求項１５】
前記第１のフィールドは第２のサブフィールドを含み、前記第２のサブフィールドは、前記第１のフィールドにあって且つ前記物理層構成状況パラメータの少なくとも１つの構成状況サブパラメータを示すのに用いられるサブフィールドの位置を示す、請求項９から１４のいずれか一項に記載の中央ＡＰ。
【発明の詳細な説明】
【技術分野】
【０００１】
本願は、２０１８年４月２８日に中国国家知識産権局に出願した「信号伝送方法、中央アクセススポイントＡＰ、及び遠隔無線ユニットＲＲＵ（ＳＩＧＮＡＬ  ＴＲＡＮＳＭＩＳＳＩＯＮ  ＭＥＴＨＯＤ，  ＣＥＮＴＲＡＬ  ＡＣＣＥＳＳ  ＰＯＩＮＴ  ＡＰ，  ＡＮＤ  ＲＥＭＯＴＥ  ＲＡＤＩＯ  ＵＮＩＴ  ＲＲＵ）」と題する中国特許出願第２０１８１０４００４０４．８号に基づく優先権を主張し、当該中国特許出願はその全体の参照により本明細書に組み込まれる。
【０００２】
本願は通信分野に関し、より具体的には、信号伝送方法、中央ＡＰ、及びＲＲＵに関する。
【背景技術】
【０００３】
現在の無線ネットワークアクセスポイント（Ａｃｃｅｓｓ  ｐｏｉｎｔ、ＡＰ）製品は主に、２つの方式を含む。すなわち、スタンドアローン型ＡＰ、及び中央ＡＰと遠隔無線ユニット（Ｒｅｍｏｔｅ  Ｒａｄｉｏ  Ｕｎｉｔ、ＲＲＵ）との組み合わせである。中央ＡＰは、スタンドアローン型ＡＰ内の管理情報（例えば、ユーザ管理）が集中化されているデバイスである。ＲＲＵは、８０２．１１に基づく無線伝送機能を担う。
【０００４】
スタンドアローン型ＡＰと比較すると、ＲＲＵの内部ハードウェア及びチップアーキテクチャについては、制御論理機能が統一管理のために中央ＡＰに移管され、媒体アクセス制御（Ｍｅｄｉｕｍ  Ａｃｃｅｓｓ  Ｃｏｎｔｒｏｌ、ＭＡＣ）層機能及び物理（Ｐｈｙｓｉｃａｌ、ＰＨＹ）層機能がＲＲＵによって実行される必要がある。このようにして、ＲＲＵ内部の中央演算処理装置（ｃｅｎｔｒａｌ  ｐｒｏｃｅｓｓｉｎｇ  ｕｎｉｔ、ＣＰＵ）が、ＲＲＵのＭＡＣ層機能及びＰＨＹ層機能を実行する処理全体に関与する必要があるので、ＲＲＵではより大きい電力消費及びオーバヘッドが生じる。
【発明の概要】
【０００５】
本願は、信号伝送方法を提供することで、ＲＲＵの電力消費及びコストを減らすことができる。
【０００６】
第１態様によれば、信号伝送方法が提供される。本方法は、遠隔無線ユニットＲＲＵが中央アクセススポイントＡＰにより送信される第１のパケットを受信する段階であって、第１のパケットは第１のフィールドを含み、第１のフィールドはパケット伝送用の物理層構成状況パラメータを示すのに用いられる、段階と、ＲＲＵが第１のフィールドに基づいてパケット伝送状態を構成する段階と、ＲＲＵがパケット伝送状態に基づいて第２のパケットをステーションに送信する段階であって、第２のパケットはデータを含む、段階とを含む。
【０００７】
ＲＲＵは中央ＡＰにより送信される第１のパケットを受信し、第１のパケットの第１のフィールドはパケット伝送用の物理層構成状況パラメータを示すのに用いられる。ＲＲＵは、第１のフィールドに基づいてパケット伝送状態を構成し、パケット伝送状態に基づいて、データを含む第２のパケットをステーションに送信する。このようにして、ＭＡＣ層の機能の中央ＡＰへの移管が、本願の本実施形態において実現されることにより、ＲＲＵのコスト及び電力消費が減少する。
【０００８】
いくつかの実行可能な実装例では、物理層構成状況パラメータは、以下の構成状況サブパラメータのうちの少なくとも１つを含む。すなわち、エアインタフェースパケットを示すフォーマット、エアインタフェースパケットがサウンディングフレームであるかどうか、エアインタフェースパケットの伝送速度、エアインタフェースパケットの変調フォーマット、エアインタフェースパケットのバイト長、スクランブラの初期設定値、エアインタフェースパケットを伝送するための伝送エネルギーレベル、エアインタフェースパケットのプリアンブルタイプ、エアインタフェースパケットを伝送するためのチャネル幅、エアインタフェースパケットを伝送するためのチャネルオフセット、エアインタフェースパケットを伝送するためのガードインターバル、エアインタフェースパケットの拡張空間ストリームの数、エアインタフェースパケットの伝送チェーンの数、エアインタフェースパケットのチャネル行列、及びエアインタフェースパケットの拡張行列タイプのうちの少なくとも１つである。
【０００９】
ＲＲＵは、中央ＡＰにより送信され且つパケット伝送用の物理層構成状況パラメータを示すのに用いられるフィールドを含む第１のパケットを受信する。その理由は、物理層構成状況パラメータがＭＡＣ層で生成されるから、すなわち、少なくともＭＡＣ層モジュール及びＭＡＣ層の下層の機能モジュールが中央ＡＰに移動するからである。
【００１０】
いくつかの実行可能な実装例では、物理層構成状況パラメータはプリミティブＴＸＶＥＣＴＯＲパラメータである。
【００１１】
いくつかの実行可能な実装例では、第１のパケットはさらに第２のフィールドを含み、第２のフィールドはデータを搬送するのに用いられる。
【００１２】
本願では、第１のフィールド及び第２のフィールドは同じパケットで搬送される。データ及び物理層構成状況パラメータが別々に送信される従来の解決手段の場合と比較すると、本願の本実施形態では、ＭＡＣ層とアプリケーション層との間の情報交換を減らすことができるので、データ伝送の遅延が減少する。
【００１３】
いくつかの実行可能な実装例では、第１のパケットはさらに第３のフィールドを含み、第３のフィールドはパケット終了識別子を搬送するのに用いられ、本方法はさらに、ＲＲＵがパケット終了識別子に基づいて終了指示情報を中央ＡＰに送信する段階を含む。
【００１４】
第３のフィールドは、パケット終了識別子を搬送するのに用いられる。この場合、ＰＨＹ層モジュールが第３のフィールドを記憶モジュールから読み出し、終了指示情報を中央ＡＰに送信することにより、終了指示情報は情報交換を完了するように自動的にトリガされる。
【００１５】
いくつかの実行可能な実装例では、第１のフィールドは第１のインデックス値を搬送し、ＲＲＵが第１のフィールドに基づいてパケット伝送状態を構成する段階は、ＲＲＵが第１のインデックス値とマッピング関係とに基づいて、第１のインデックス値に対応する第１の構成状況サブパラメータを決定する段階であって、マッピング関係は少なくとも１つのインデックス値と少なくとも１つの構成状況サブパラメータとの間のマッピング関係である、段階と、ＲＲＵが第１の構成状況サブパラメータに基づいてパケット伝送状態を構成する段階とを含む。
【００１６】
このようにして、第１のサブフィールドが第１のパケットで搬送され、対応する第１のパラメータが、第１のサブフィールドを用いて示されるインデックス値に基づいて決定され、第１のパラメータがパケットで直接搬送されるケースが回避され、帯域幅の占有が減少する。
【００１７】
いくつかの実行可能な実装例では、インデックス値は媒体アクセス制御ＭＡＣインデックス値であり、構成状況サブパラメータはチャネル行列パラメータである。
【００１８】
いくつかの実行可能な実装例では、第１のインデックス値に対応する第１の構成状況サブパラメータを決定する段階の前に、本方法はさらに、ＲＲＵがサウンディングパケットを受信する段階であって、サウンディングパケットはエアインタフェースチャネルの品質を測定するのに用いられる、段階と、ＲＲＵがサウンディングパケットをステーションに送信する段階と、ＲＲＵがサウンディングパケットの応答パケットを受信する段階であって、応答パケットはマッピング関係を含む、段階とを含む。
【００１９】
中央ＡＰはサウンディングパケットを周期的に、又は空間チャネルを再度測定する必要がある場合に送信してよいので、ＲＲＵは記憶モジュールに格納されたマッピング関係を更新することができる。
【００２０】
いくつかの実行可能な実装例では、ＲＲＵは記憶モジュール及び物理ＰＨＹ層モジュールを含み、本方法はさらに、記憶モジュールが第１のパケットをバッファに移す段階と、ＰＨＹ層モジュールが第１のパケットを記憶モジュールから取得する段階とを含む。
【００２１】
このようにして、ＲＲＵは、受信したサウンディングパケットを記憶モジュールに格納してよく、ＰＨＹ層モジュールは、必要に応じて、サウンディングパケットを記憶モジュールから取得してよい。
【００２２】
いくつかの実行可能な実装例では、第１のパケットはさらに第２のフィールド及び第３のフィールドを含み、第２のフィールドはデータを搬送するのに用いられ、第３のフィールドはパケット終了識別子を搬送するのに用いられる。第１のフィールド、第２のフィールド、及び第３のフィールドは第１のパケットに順に配置され、ＰＨＹ層モジュールにある第１のフィールド、第２のフィールド、及び第３のフィールドは記憶モジュールから順に取得される。
【００２３】
このようにして、各フィールドの意味が識別情報を用いて示されるというケースが回避されることにより、ＰＨＹ層モジュール内の複雑なやり取りがさらに減少する。
【００２４】
いくつかの実行可能な実装例では、第１のフィールドはさらに第１のサブフィールドを含み、第１のサブフィールドはＰＨＹ層モジュールのレジスタにおける物理層構成状況パラメータの各構成状況サブパラメータのアドレスを示すのに用いられ、ＲＲＵが第１のフィールドに基づいてパケット伝送状態を構成する段階は、ＲＲＵが第１のサブフィールドに基づいて、物理層構成状況パラメータの各構成状況サブパラメータをＰＨＹ層モジュールの対応するレジスタに格納する段階を含む。
【００２５】
ＰＨＹ層モジュールは、第１のサブフィールドに基づいて、各タイプの構成状況サブパラメータを対応するレジスタに格納し、パケット伝送状態の構成を完了して、開始状態が最適な状態になるのを可能にしてよく、これにより、パケット伝送の品質が向上する。
【００２６】
いくつかの実行可能な実装例では、第１のフィールドはさらに第２のサブフィールドを含み、第２のサブフィールドは、第１のフィールドにあって且つ物理層構成状況パラメータの構成状況サブパラメータを示すのに用いられるサブフィールドの位置を示し、ＰＨＹ層モジュールが第１のパケットを記憶モジュールから取得する段階は、ＰＨＹ層モジュールが物理層構成状況パラメータの構成状況サブパラメータを第２のサブフィールドに基づいて記憶モジュールから取得する段階を含む。
【００２７】
第２のサブフィールドは、第１のフィールド内の、各構成状況サブパラメータを搬送するサブフィールドの位置を示すことができる。特に、第１のフィールドが複数の構成状況サブパラメータを示す場合、ＰＨＹ層モジュールは、各構成状況サブパラメータを示すサブフィールドの位置を第２のサブフィールドに基づいて決定し、さらに、構成状況サブパラメータを対応するレジスタに格納すると決定する必要がある。
【００２８】
いくつかの実行可能な実装例では、第１のフィールドは第３のサブフィールドを含み、第３のサブフィールドは、構成状況パラメータ内の少なくとも２つの構成状況サブパラメータのサブフィールドが、事前設定された順序で配置されていることを示すのに用いられ、ＰＨＹ層モジュールが第１のパケット内の第１のフィールドを記憶モジュールから取得する段階は、ＰＨＹ層モジュールが少なくとも２つの構成状況サブパラメータをサブフィールドの事前設定された順序で記憶モジュールから取得する段階を含む。
【００２９】
少なくとも２つの構成状況サブパラメータがある場合、第１のパケットは第２のサブフィールドを含まなくてよく、第３のサブフィールドは、少なくとも２つの構成状況サブパラメータを搬送するサブフィールドが事前設定された順序で配置されてよいことを示すのに用いられるので、ＰＨＹ層モジュールは各サブフィールドを順に読み出すことができ、各フィールドの意味を認識できる。
【００３０】
いくつかの実行可能な実装例では、第１のパケットはさらにパケットヘッダを含み、パケットヘッダはＲＲＵのＭＡＣアドレスを示す。
【００３１】
中央ＡＰは、パケットヘッダに基づいてパケット転送及びパケットルーティングを実施できるので、パケット伝送の効率が向上する。
【００３２】
第２態様によれば、信号伝送方法が提供される。本方法は、中央ＡＰがパケットを生成する段階であって、パケットは第１のフィールドを含み、第１のフィールドはパケット伝送用の物理層構成状況パラメータを示すのに用いられる、段階と、中央ＡＰがパケットを遠隔無線ユニットＲＲＵに送信する段階とを含む。
【００３３】
中央ＡＰは第１のパケットを生成し、第１のパケットの第１のフィールドがパケット伝送用の物理層構成状況パラメータを示すのに用いられる。中央ＡＰが第１のパケットをＲＲＵに送信することにより、ＲＲＵは第１のパケットの第１のフィールドに基づいてパケット伝送状態を構成し、パケット伝送状態に基づいて、データを含む第２のパケットをステーションに送信する。このようにして、ＭＡＣ層の機能の中央ＡＰへの移管が、本願の本実施形態において実現されるので、ＲＲＵのコスト及び電力消費が減少する。
【００３４】
いくつかの実行可能な実装例では、物理層構成状況パラメータは、以下の構成状況サブパラメータのうちの少なくとも１つを含む。すなわち、エアインタフェースパケットを示すフォーマット、エアインタフェースパケットがサウンディングフレームであるかどうか、エアインタフェースパケットの伝送速度、エアインタフェースパケットの変調フォーマット、エアインタフェースパケットのバイト長、スクランブラの初期設定値、エアインタフェースパケットを伝送するための伝送エネルギーレベル、エアインタフェースパケットのプリアンブルタイプ、エアインタフェースパケットを伝送するためのチャネル幅、エアインタフェースパケットを伝送するためのチャネルオフセット、エアインタフェースパケットを伝送するためのガードインターバル、エアインタフェースパケットの拡張空間ストリームの数、エアインタフェースパケットの伝送チェーンの数、エアインタフェースパケットのチャネル行列、及びエアインタフェースパケットの拡張行列タイプのうちの少なくとも１つである。
【００３５】
いくつかの実行可能な実装例では、パケットはさらに第２のフィールドを含み、第２のフィールドはデータを搬送するのに用いられる。
【００３６】
いくつかの実行可能な実装例では、パケットはさらに第３のフィールドを含み、第３のフィールドはパケット終了識別子を搬送するのに用いられ、本方法はさらに、中央ＡＰが終了指示情報を受信する段階を含む。
【００３７】
いくつかの実行可能な実装例では、パケット内にある第１のフィールド、第２のフィールド、及び第３のフィールドは順に配置されている。
【００３８】
いくつかの実行可能な実装例では、第１のフィールドは第１のインデックス値を搬送し、第１のインデックス値は第１の構成状況サブパラメータに対応する。
【００３９】
いくつかの実行可能な実装例では、第１のインデックス値は媒体アクセス制御ＭＡＣインデックス値であり、第１の構成状況サブパラメータはチャネル行列パラメータである。
【００４０】
いくつかの実行可能な実装例では、本方法はさらに、中央ＡＰがサウンディングパケットをＲＲＵに送信する段階であって、サウンディングパケットはエアインタフェースチャネルの品質を測定するのに用いられる、段階と、中央ＡＰがＲＲＵにより送信されるサウンディングパケットの応答パケットを受信する段階であって、応答パケットは少なくとも１つのインデックス値と少なくとも１つの構成状況サブパラメータとの間のマッピング関係を含む、段階とを含む。
【００４１】
いくつかの実行可能な実装例では、第１のフィールドは第１のサブフィールドを含み、第１のサブフィールドは、ＲＲＵのＰＨＹ層モジュールのレジスタにおける物理層構成状況パラメータの各構成状況サブパラメータのアドレスを示すのに用いられる。
【００４２】
いくつかの実行可能な実装例では、第１のフィールドは第２のサブフィールドを含み、第２のサブフィールドは、第１のフィールドにあって且つ物理層構成状況パラメータの少なくとも１つの構成状況サブパラメータを示すのに用いられるサブフィールドの位置を示す。
【００４３】
いくつかの実行可能な実装例では、中央ＡＰは媒体アクセス制御ＭＡＣ層モジュールを含み、中央ＡＰが第１のパケットを生成する段階は、ＭＡＣ層モジュールが第１のパケットを生成する段階を含む。
【００４４】
いくつかの実行可能な実装例では、パケットはさらにパケットヘッダを含み、パケットヘッダはＲＲＵのＭＡＣアドレスを示す。
【００４５】
第３態様によれば、信号伝送装置が提供される。本装置は、ＲＲＵであってもよく、ＲＲＵ内のチップであってもよい。本装置は、第１態様の様々な実施形態を実装する機能を有する。これらの機能は、ハードウェアで実装されても、対応するソフトウェアを実行するハードウェアで実装されてもよい。このハードウェア又はソフトウェアは、これらの機能に対応する１つ又は複数のユニットを含む。
【００４６】
実行可能な設計例では、本装置がＲＲＵである場合、ＲＲＵは処理モジュールと送受信機モジュールとを含む。処理モジュールは、例えば、プロセッサであってよい。送受信機モジュールは、例えば、送受信機であってよい。送受信機は無線周波数回路を含む。
【００４７】
任意選択で、ＲＲＵはさらに記憶ユニットを含み、記憶ユニットは、例えば、メモリであってよい。ＲＲＵが記憶ユニットを含む場合、記憶ユニットはコンピュータ実行可能命令を格納するように構成され、処理モジュールは記憶ユニットに接続され、処理モジュールは記憶ユニットに格納されたコンピュータ実行可能命令を実行して、第３のデバイスが第１態様の複数の実装例のうちのいずれか１つによる方法を実行できるようにする。
【００４８】
別の実行可能な設計例では、本装置がＲＲＵ内のチップである場合、チップは処理モジュールと送受信機モジュールとを含む。処理モジュールは、例えば、プロセッサであってよく、送受信機モジュールは、例えば、入力／出力インタフェース、ピン、又はチップ上の回路であってよい。処理モジュールは、記憶ユニットに格納されたコンピュータ実行可能命令を実行して、ＲＲＵ内のチップが第１態様の複数の実装例のうちのいずれか１つによる方法を実行するのを可能にすることができる。
【００４９】
任意選択で記憶ユニットは、レジスタ又はバッファなどの、チップ内の記憶ユニットであってもよく、あるいは、記憶ユニットは、第３のデバイス内ではあるがチップの外側にある、リードオンリメモリ（ｒｅａｄ−ｏｎｌｙ  ｍｅｍｏｒｙ、ＲＯＭ）、静的な情報及び命令を格納できる別のタイプの静的記憶デバイス、又はランダムアクセスメモリ（ｒａｎｄｏｍ  ａｃｃｅｓｓ  ｍｅｍｏｒｙ、ＲＡＭ）などの記憶ユニットであってもよい。
【００５０】
上述した複数のプロセッサのうちのいずれか１つが、汎用の中央演算処理装置（ＣＰＵ）、マイクロプロセッサ、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、又は第１態様による信号伝送方法のプログラムの実行を制御するように構成された１つ若しくは複数の集積回路であってもよい。
【００５１】
第４態様によれば、信号伝送装置が本願で提供される。本装置は、中央ＡＰであってもよく、中央ＡＰ内のチップであってもよい。本装置は、第２態様の様々な実施形態を実装する機能を有する。これらの機能は、ハードウェアで実装されてもよく、対応するソフトウェアを実行するハードウェアで実装されてもよい。このハードウェア又はソフトウェアは、これらの機能に対応する１つ又は複数のユニットを含む。
【００５２】
実行可能な設計例では、本装置が中央ＡＰである場合、中央ＡＰは処理モジュールと送受信機モジュールとを含む。処理モジュールは、例えば、プロセッサであってよい。送受信機モジュールは、例えば、送受信機であってよい。送受信機は無線周波数回路を含む。任意選択で、中央ＡＰはさらに記憶ユニットを含み、記憶ユニットは、例えば、メモリであってよい。中央ＡＰが記憶ユニットを含む場合、記憶ユニットはコンピュータ実行可能命令を格納するように構成され、処理モジュールは記憶ユニットに接続され、処理モジュールは記憶ユニットに格納されたコンピュータ実行可能命令を実行して、中央ＡＰが第２態様の複数の実装例のうちのいずれか１つによる信号伝送方法を実行できるようにする。
【００５３】
別の実行可能な設計例では、本装置が中央ＡＰ内のチップである場合、チップは処理モジュールと送受信機モジュールとを含む。処理モジュールは、例えば、プロセッサであってよく、送受信機モジュールは、例えば、入力／出力インタフェース、ピン、又はチップ上の回路であってよい。処理モジュールは、記憶ユニットに格納されたコンピュータ実行可能命令を実行して、中央ＡＰ内のチップが第２態様の複数の実装例のうちのいずれか１つによる方法を実行するのを可能にすることができる。任意選択で記憶ユニットは、レジスタ又はバッファなどの、チップ内の記憶ユニットであってもよく、あるいは、記憶ユニットは、中央ＡＰ内ではあるがチップの外側にある、ＲＯＭ、静的な情報及び命令を格納できる別のタイプの静的記憶デバイス、又はＲＡＭなどの記憶ユニットであってもよい。
【００５４】
上述した複数のプロセッサのうちのいずれか１つが、ＣＰＵ、マイクロプロセッサ、ＡＳＩＣ、又は第２態様による信号伝送方法のプログラムの実行を制御するように構成された１つ若しくは複数の集積回路であってもよい。
【００５５】
第５態様によれば、通信システムが提供される。本通信システムは、第３態様による装置と第４態様による装置とを含む。
【００５６】
第６態様によれば、通信システムが提供される。本通信システムは、第３態様による装置と、第４態様による装置と、ステーションとを含む。
【００５７】
第７態様によれば、コンピュータ記憶媒体が提供され、コンピュータ記憶媒体はプログラムコードを格納し、プログラムコードは、第１態様及び第２態様又はこれらの任意の実行可能な実装例のいずれかによる方法を実行する命令を示すのに用いられる。
【００５８】
第８態様では、プロセッサが提供される。プロセッサは、メモリに結合され、第１態様及び第２態様又はこれらの任意の実行可能な実装例のいずれかによる方法を実行するように構成される。
【００５９】
第９態様によれば、命令を含むコンピュータプログラム製品が提供される。コンピュータプログラム製品がコンピュータ上で実行されると、コンピュータは、第１態様及び第２態様又はこれらの任意の実行可能な実装例による方法を実行することができる。
【００６０】
前述の解決手段に基づいて、ＲＲＵは中央ＡＰにより送信される第１のパケットを受信し、第１のパケットの第１のフィールドは、パケット伝送用の物理層構成状況パラメータを示すのに用いられる。ＲＲＵは、第１のフィールドに基づいてパケット伝送状態を構成し、パケット伝送状態に基づいて、データを含む第２のパケットをステーションに送信する。このようにして、ＭＡＣ層の機能の中央ＡＰへの移管が、本願の実施形態において実現されるので、ＲＲＵのコスト及び電力消費が減少する。
【図面の簡単な説明】
【００６１】
【図１】従来の解決手段における通信システムの概略図である。
【００６２】
【図２】従来方式におけるＲＲＵの内部接続の概略構造図である。
【００６３】
【図３】本願の一実施形態による応用シナリオの概略図である。
【００６４】
【図４】従来の解決手段における通信システムの概略アーキテクチャ図である。
【００６５】
【図５】本願の一実施形態による信号伝送方法の概略フローチャートである。
【００６６】
【図６】本願の特定の実施形態による信号伝送方法の概略図である。
【００６７】
【図７】本願の一実施形態によるパケットフォーマットの概略図である。
【００６８】
【図８】本願の特定の実施形態による信号伝送方法の概略図である。
【００６９】
【図９】本願の別の実施形態による信号伝送方法の概略フローチャートである。
【００７０】
【図１０】本願の一実施形態によるＲＲＵの概略ブロック図である。
【００７１】
【図１１】本願の別の実施形態による中央ＡＰの概略ブロック図である。
【００７２】
【図１２】本願の一実施形態による通信システムの概略ブロック図である。
【００７３】
【図１３】本願の別の実施形態による通信システムの概略ブロック図である。
【００７４】
【図１４】本願の一実施形態による信号伝送装置の概略構造図である。
【発明を実施するための形態】
【００７５】
以下では、添付図面を参照して本願の技術的解決手段を説明する。
【００７６】
本願の実施形態の技術的解決手段は、様々な通信システムに適用されてよい。例えば、ワイヤレスフィデリティ（Ｗｉｒｅｌｅｓｓ  Ｆｉｄｅｌｉｔｙ、Ｗｉ−Ｆｉ）システム、無線ローカルエリアネットワーク（Ｗｉｒｅｌｅｓｓ  Ｌｏｃａｌ  Ａｒｅａ  Ｎｅｔｗｏｒｋ、ＷＬＡＮ）システム、移動通信用グローバルシステム（Ｇｌｏｂａｌ  Ｓｙｓｔｅｍ  ｆｏｒ  Ｍｏｂｉｌｅ  ｃｏｍｍｕｎｉｃａｔｉｏｎ、ＧＳＭ（登録商標））、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、ワールドワイドインターオペラビリティフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ（登録商標））通信システム、将来の第５世代（５ｔｈ  Ｇｅｎｅｒａｔｉｏｎ、５Ｇ）システム、又は新無線（Ｎｅｗ  Ｒａｄｉｏ，  ＮＲ）システムなどの通信システムである。
【００７７】
本願の実施形態におけるステーション（ｓｔａｔｉｏｎ、ＳＴＡ）とは、端末デバイス、ユーザ機器、アクセス端末、加入者ユニット、加入者ステーション、モバイルステーション、モバイルコンソール、遠隔ステーション、遠隔端末、モバイルデバイス、ユーザ端末、端末、無線通信デバイス、ユーザエージェント、又はユーザ装置であってもよい。端末デバイスは代替的に、携帯電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）ステーション、携帯情報端末（Ｐｅｒｓｏｎａｌ  Ｄｉｇｉｔａｌ  Ａｓｓｉｓｔａｎｔ、ＰＤＡ）、無線通信機能を有するハンドヘルドデバイス、コンピューティングデバイス、無線モデムに接続された別の処理デバイス、車載デバイス、ウェアラブルデバイス、将来の５Ｇネットワークの端末デバイス、又は将来の進化した公共移動通信ネットワーク（Ｐｕｂｌｉｃ  Ｌａｎｄ  Ｍｏｂｉｌｅ  Ｎｅｔｗｏｒｋ、ＰＬＭＮ）の端末デバイスなどであってもよい。これについては、本願の実施形態において限定されるものではない。以下の実施形態の説明では、説明しやすいように、ステーションが一例として用いられる。
【００７８】
本願の実施形態におけるＡＰとは、ステーションと通信するためのデバイスであってよい。ＡＰは、移動通信用グローバルシステム（Ｇｌｏｂａｌ  Ｓｙｓｔｅｍ  ｆｏｒ  Ｍｏｂｉｌｅ  ｃｏｍｍｕｎｉｃａｔｉｏｎ、ＧＳＭ）又は符号分割多元接続（Ｃｏｄｅ  Ｄｉｖｉｓｉｏｎ  Ｍｕｌｔｉｐｌｅ  Ａｃｃｅｓｓ、ＣＤＭＡ）システムにおけるベーストランシーバ基地局（Ｂａｓｅ  Ｔｒａｎｓｃｅｉｖｅｒ  Ｓｔａｔｉｏｎ、ＢＴＳ）であってもよく、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システムにおけるＮｏｄｅＢ（ＮｏｄｅＢ、ＮＢ）であってもよく、ＬＴＥシステムにおける進化型ＮｏｄｅＢ（ｅｖｏｌｖｅｄ  ＮｏｄｅＢ、ｅＮＢ、又はｅＮｏｄｅＢ）であってもよく、クラウド型無線アクセスネットワーク（Ｃｌｏｕｄ  Ｒａｄｉｏ  Ａｃｃｅｓｓ  Ｎｅｔｗｏｒｋ、ＣＲＡＮ）シナリオにおける無線コントローラであってもよい。あるいは、ＡＰは、中継ステーション、アクセスポイント、車載デバイス、ウェアラブルデバイス、将来の５Ｇネットワークにおけるネットワークデバイス、将来の進化したＰＬＭＮにおけるネットワークデバイス、又はパーソナルベーシックサービスセットコントロールポイント（Ｐｅｒｓｏｎａｌ  ｂａｓｉｃ  ｓｅｒｖｉｃｅ  ｓｅｔ  Ｃｏｎｔｒｏｌ  Ｐｏｉｎｔ、ＰＣＰ）などであってもよい。これについては、本願の実施形態において限定されるものではない。以下の実施形態の説明では、説明しやすいように、ＡＰが一例として用いられる。
【００７９】
図１は、従来の解決手段における通信システムの概略図である。図１に示すように、本通信システムは中央ＡＰ１１０とＲＲＵ１２０とを含む。中央ＡＰ１１０は、ＲＲＵ１２０のユーザ管理とＲＲＵ１２０のデータ転送とを制御するように構成されたコントローラを含む。ＲＲＵ１２０は内部に、８０２．３ＭＡＣ層（本願の本実施形態では「ＭＡＣ層モジュール」と呼ばれる）の機能を実装するためのモジュール、ダブルデータレート（Ｄｏｕｂｌｅ  Ｄａｔａ  Ｒａｔｅ、ＤＤＲ）同期ダイナミックランダムアクセスメモリ、ＣＰＵ、８０２．１１ＭＡＣ層の機能を実装するためのモジュール、及び８０２．１１ＰＨＹ層（本願の本実施形態では「ＰＨＹ層モジュール」と呼ばれる）の機能を実装するためのモジュールを含む。
【００８０】
ＭＡＣ層の機能は主に、物理層での物理媒体の制御及び接続を含むことに留意されたい。ＰＨＹ層の機能は主に、データ伝送に必要な物理的リンクの作成、維持、及び配備解除を行うための機械的、電子的、機能的、及び標準的な機能を提供するのに用いられる。
【００８１】
より具体的には、図２が、従来の解決手段におけるＲＲＵの内部接続の構造を示す。ＲＲＵ１２０は、ダブルデータレート（ｄｏｕｂｌｅ  ｄａｔａ  ｒａｔｅ、ＤＤＲ）メモリ３、フラッシュメモリ（ＮＯＲ  Ｆｌａｓｈ（登録商標））、有線インタフェース（ＧＥ  ＰＯＥ  ＲＪ  ４５、ＧＥ  ＲＪ４５、及びＧＥ  ＳＦＰ）、８０２．３ＭＡＣ層モジュール、及び８０２．１１ＭＡＣ層モジュールなどを含む。ＲＲＵ１２０内の制御ロジック機能が中央ＡＰ１１０に移管され、中央ＡＰ１１０は無線アクセスポイントの制御とプロビジョニング（Ｃｏｎｔｒｏｌ  Ａｎｄ  Ｐｒｏｖｉｓｉｏｎｉｎｇ  ｏｆ  Ｗｉｒｅｌｅｓｓ  Ａｃｃｅｓｓ  Ｐｏｉｎｔｓ、ＣＡＰＷＡＰ）プロトコルを用いてＲＲＵ１２０と通信する、すなわち、中央ＡＰ１１０は有線ネットワークを用いてＲＲＵ１２０と通信するという点で、ＲＲＵ１２０内のハードウェアアーキテクチャがスタンドアローン型ＡＰの機能モジュールとは異なる。ユーザにとっては、ＲＲＵは依然として、ワイヤレスフィデリティ（Ｗｉｒｅｌｅｓｓ  Ｆｉｄｅｌｉｔｙ、Ｗｉ−Ｆｉ）アクセス機能を実行し、Ｗｉ‐Ｆｉ８０２．１１プロトコルを処理し、８０２．３パケットを生成することができる統合ＡＰである。
【００８２】
さらに、８０２．１１規格では、各パケットの伝送に、ＭＡＣ層とＰＨＹ層との間で６種類のプリミティブのやり取りが必要になる。これらのプリミティブは、パラメータＴＸＶＥＣＴＯＲを含む。例えば、プリミティブＰＨＹ−ＴＳＳＴＡＲＴ．ｒｅｑｕｅｓｔがＴＸＶＥＣＴＯＲを含む。パラメータＴＸＶＥＣＴＯＲに含まれるチャネル行列パラメータのデータ量が、２０ＭＨｚ帯、４×４のＭＩＭＯ、且つ８ビット精度の場合に数千バイトのリソースを占有している状態なので、パラメータＴＸＶＥＣＴＯＲに含まれるバイトの数が、１６０ＭＨｚ帯且つ次の規格での８×８ＭＩＭＯの場合に指数関数的に増大するかもしれない。従来の解決手段では、８０２．１１規格におけるＭＡＣ層とＰＨＹ層との間のデータインタフェース及び制御管理インタフェースが、独立したローカルバスを用いて頻繁且つ大規模な情報交換を別々に実施する。
【００８３】
従来の解決手段では、ＲＲＵ内部のＣＰＵは、ＲＲＵ内部のＭＡＣ層機能及びＰＨＹ層機能を実行する処理全体に関与する必要があり、ＲＲＵではより大きい電力消費及びオーバヘッドが生じる。
【００８４】
本願の実施形態は主に、分散型Ｗｉ‐Ｆｉ製品に適用される、例えば、企業、病院、学校、又はホテルなどの、大規模なＷｉ‐Ｆｉが必要とされるシナリオに適用される。ＲＲＵの複雑性が低下することで、ＲＲＵの電力消費及びコストが減少する。
【００８５】
例えば、図３は、本願の一実施形態による応用シナリオの概略図である。図３に示すように、ＲＲＵがホテルの各客室に配置されている。パワーオーバーイーサネット（登録商標）（Ｐｏｗｅｒ  Ｏｖｅｒ  Ｅｔｈｅｒｎｅｔ（登録商標）、ＰＯＥ）スイッチが中央ＡＰに接続され、中央ＡＰはユーザ管理を行い、ＲＲＵはＷｉ‐Ｆｉアクセス端末としての役割を果たす。図４に示すように、中央ＡＰの型式がＡＤ９４３０ＤＮであってよく、ＲＲＵの型式がＲ２４０Ｄであってよい。
【００８６】
図５は、本願の一実施形態による信号伝送方法の概略フローチャートである。
【００８７】
５０１：中央ＡＰが第１のパケットを生成する。第１のパケットは第１のフィールドを含み、第１のフィールドはパケット伝送用の物理層構成状況パラメータを示すのに用いられる。
【００８８】
具体的には、中央ＡＰは、第１のフィールドを含む第１のパケットを生成することができ、第１のフィールドはパケット伝送の物理層構成状況パラメータを示してよい。具体的には、中央ＡＰは、ＭＡＣ層機能を実行して、物理層構成状況パラメータを示すことができるフィールドを含むパケットを生成することができる。言い換えれば、中央ＡＰはＭＡＣ層モジュールを含む。
【００８９】
ＭＡＣ層モジュールは、８０２．１１ＭＡＣ層の機能を実装するのに用いられるモジュールであってよいことに留意されたい。
【００９０】
任意選択で、第１のフィールドは、パケット伝送用の物理層構成状況パラメータを直接搬送してもよく、第１のフィールドに基づいて物理層構成状況パラメータを決定してもよい。これについては、本願において限定されるものではない。
【００９１】
例えば、第１のフィールドは識別情報又はインデックス情報を搬送してよく、構成状況パラメータは、識別情報又はインデックス情報に基づいて決定されてよい。
【００９２】
任意選択で、物理層構成状況パラメータは、少なくとも１つの構成状況サブパラメータを含んでよい。例えば、物理層構成状況パラメータは以下の構成状況サブパラメータのうちの少なくとも１つを含む。すなわち、エアインタフェースパケットを示すフォーマット（ＦＯＲＭＡＴ）、エアインタフェースパケットがサウンディングフレームであるかどうか、エアインタフェースパケットの伝送速度（ＤＡＴＡＲＡＴＥ）、エアインタフェースパケットの変調フォーマット、エアインタフェースパケットのバイト長（ＬＥＮＧＴＨ）、スクランブラの初期設定値（ＳＥＲＶＩＣＥ）、エアインタフェースパケットを伝送するための伝送エネルギーレベル（ＴＸＰＷＲ＿ＬＥＶＥＬ）、エアインタフェースパケットのプリアンブルタイプ（ＰＲＥＡＭＢＬＥ＿ＴＹＰＥ）、エアインタフェースパケットを伝送するためのチャネル幅（ＣＨ＿ＢＡＮＤＷＩＤＴＨ）、エアインタフェースパケットを伝送するためのチャネルオフセット（ＣＨ＿ＯＦＦＳＥＴ）、エアインタフェースパケットを伝送するためのガードインターバル（ＧＩ＿ＴＹＰＥ）、エアインタフェースパケットの拡張空間ストリームの数（ＮＵＭ＿ＥＸＴＥＮ＿ＳＳ）、エアインタフェースパケットの伝送チェーンの数（Ｎ＿ＴＸ）、エアインタフェースパケットのチャネル行列（ＥＸＰＡＮＳＩＯＮ＿ＭＡＴ）及びチャネル行列タイプ（ＥＸＰＡＮＳＩＯＮ＿ＭＡＴ＿ＴＹＰＥ）、並びにエアインタフェースパケットの拡張行列タイプ（ＥＸＰＡＮＳＩＯＮ＿ＭＡＴ＿ＴＹＰＥ）のうちの少なくとも１つである。
【００９３】
具体的には、ＦＯＲＭＡＴを示すための構成状況サブパラメータは、物理層プロトコルデータユニット（ＰＰＤＵ）のフォーマットを決定するのに用いることができ、ＦＯＲＭＡＴは、ＮＯＮ＿ＨＴ、ＨＴ＿ＭＦ、及びＨＴ＿ＧＦという３つの物理層プロトコルデータユニット（ＰＨＹ  Ｐｒｏｔｏｃｏｌ  Ｄａｔａ  Ｕｎｉｔ、ＰＰＤＵ）タイプを含んでよい。
【００９４】
エアインタフェースパケットの変調フォーマットは、変調符号化方式（Ｍｏｄｕｌａｔｉｏｎ  ａｎｄ  Ｃｏｄｉｎｇ  Ｓｃｈｅｍｅ、ＭＣＳ）及び変調（ＭＯＤＵＬＡＴＩＯＮ）方式という２つの方式を含んでよい。具体的には、ＦＯＲＭＡＴがＮＯＮ＿ＨＴである場合、変調方式が用いられる。ＦＯＲＭＡＴがＨＴ＿ＭＦ又はＨＴ＿ＧＦである場合、ＭＣＳが用いられる。ＭＣＳの次数が、ＢＰＳＫ、ＱＰＳＫ、１６−ＱＡＭ、６４−ＱＡＭ、及び１２８−ＱＡＭであってよい。
【００９５】
エアインタフェースパケットがサウンディングフレームであるかどうかを示すのに用いられる構成状況サブパラメータは、ステーションがエアインタフェースパケットとサウンディングパケットとを区別できるようにするために用いられる。
【００９６】
エアインタフェースパケットを伝送するためのチャネル幅は、パケット伝送に占有される帯域幅であり、その帯域幅は、２０ＭＨｚ、４０ＭＨｚ、８０ＭＨｚ、又は１６０ＭＨｚであってもよい。
【００９７】
エアインタフェースパケットを伝送するためのチャネルオフセットは、パケット伝送用のチャネルの特定の占有部分、例えば、４０ＭＨｚの上半分の２０ＭＨｚ、又は下半分の２０ＭＨｚを示してよい。
【００９８】
ガードインターバルは、長いインターバル及び短いインターバルを含んでよい。長いインターバルは８００ｎｓであってよく、短いインターバルは４００ｎｓであってよい。
【００９９】
拡張空間ストリームの数は、データストリームの数のことを指してよい。
【０１００】
伝送チェーンの数は、アンテナの数であってよい。
【０１０１】
拡張行列は、チャネル行列、すなわち、エアインタフェースチャネルパラメータの行列であってよい。
【０１０２】
物理層構成状況パラメータに含まれる内容は、従来の解決手段においてエアインタフェースパケットの伝送状態を構成するのに用いられる物理層構成状況パラメータに含まれる内容と同じであり、プロトコルが変化すると構成状況サブパラメータが追加又は削除され得ることを理解されたい。これについては、本願において限定されるものではない。
【０１０３】
任意選択で、物理層構成状況パラメータはプリミティブ（ＴＸＶＥＣＴＯＲ）パラメータであってよい。
【０１０４】
５０２：中央ＡＰは第１のパケットを送信する。これに応じて、中央ＡＰにより送信される第１のパケットをＲＲＵが受信する。
【０１０５】
具体的には、ＲＲＵは、中央ＡＰにより送信され且つパケット伝送用の物理層構成状況パラメータを示すのに用いられるフィールドを含む第１のパケットを受信する。その理由は、物理層構成状況パラメータがＭＡＣ層で生成される、すなわち、少なくともＭＡＣ層モジュール及びＭＡＣ層の下層の機能モジュールが中央ＡＰに移動するからである。
【０１０６】
中央ＡＰとＲＲＵとの間の通信は、有線ネットワーク通信であることに留意されたい。
【０１０７】
任意選択で、ＲＲＵは内部に、記憶モジュールとＰＨＹ層モジュールとを含んでよい。ＲＲＵが第１のパケットを受信した後に、ＲＲＵ内の記憶モジュールは第１のパケットをバッファに移し、ＰＨＹ層モジュールは第１のパケットを記憶モジュールから読み出す。
【０１０８】
本願の本実施形態におけるＰＨＹ層モジュールは、他に特に規定がない限り、８０２．１１ＰＨＹ層の機能を実行するのに用いられ得ることに留意されたい。
【０１０９】
５０３：ＲＲＵは、第１のフィールドに基づいてパケット伝送状態を構成する。
【０１１０】
具体的には、パケット伝送状態は、パケット伝送の開始状態であってもよく。パケット伝送の準備完了状態であってもよい。具体的には、ＲＲＵは、第１のフィールドを用いて示される構成状況パラメータに基づいて開始状態を構成し、データ伝送の準備をする。言い換えれば、パケット伝送状態を構成する段階は、ＲＲＵがＰＨＹ層機能を実行していることである。
【０１１１】
任意選択で、第１のパケットはさらに第２のフィールドを含み、第２のフィールドはデータを搬送するのに用いられる。言い換えれば、本願では、第１のフィールド及び第２のフィールドは同じパケットで搬送される。データ及び物理層構成状況パラメータが異なるパケットを用いて送信される場合と比較すると、本願の本実施形態では、ＭＡＣ層とＰＨＹ層との間の情報交換を減らすことができるので、データ伝送の遅延が減少する。
【０１１２】
任意選択で、ＲＲＵが記憶モジュールを含む場合、ＲＲＵは第２のフィールドを記憶モジュールに格納してよく、ＰＨＹ層モジュールは第２のフィールドのデータを記憶モジュールから取得する。
【０１１３】
任意選択で、ＰＨＹ層モジュールは第２のフィールドのデータを記憶モジュールから読み出す。この読み出しは、第１のフィールドが読み出された直後に実行されてもよく、エアインタフェースチャネルが使用されていないことが検出されたときに実行されてもよい。
【０１１４】
任意選択で、第１のパケットはさらに第３のフィールドを含み、第３のフィールドはパケット終了識別子を搬送するのに用いられる。この場合、ＲＲＵが終了指示情報を中央ＡＰに送信することにより、終了指示情報は情報交換を完了するように自動的にトリガされる。これに応じて、中央ＡＰは終了指示情報を受信する。
【０１１５】
任意選択で、ＲＲＵが記憶モジュール及びＰＨＹ層モジュールを含む場合、記憶モジュールはまず第３のフィールドを格納し、ＰＨＹ層モジュールは第３のフィールドを記憶モジュールから読み出す。
【０１１６】
具体的には、第３のフィールドは終了識別子（ＥＮＤ  ｃｏｄｅ）を搬送してよい。ＰＨＹ層モジュールがＥＮＤ  ｃｏｄｅを読み出した後に、中央ＡＰによるデータの伝送が終了したことが判定されてよく、ＰＨＹ層モジュールは終了指示情報を中央ＡＰに送信して、中央ＡＰに通知する。
【０１１７】
例えば、図６に示すように、データを伝送するのにイーサネットが用いられる場合に、８ｂ／１０ｂ符号化が用いられると仮定すると、各パケットの最後に、パケットが終了することを示す特別なコード、すなわち、／Ｔ／コード（Ｋ２９．５）が付いている。ＰＨＹ層モジュールが／Ｔ／コードを読み出すと、ＰＨＹ層モジュールは終了指示情報を中央ＡＰに送信する。
【０１１８】
任意選択で、第１のパケットのパケットフォーマットが、第１のフィールド、第２のフィールド、及び第３のフィールドが順に配置されることであってよく、ＰＨＹ層モジュールは、第１のフィールド、第２のフィールド、及び第３のフィールドを記憶モジュールから順に取得してよい。このようにして、各フィールドの意味が識別情報を用いて示されるケースが回避されることにより、ＰＨＹ層モジュール内の複雑なやり取りがさらに減少する。
【０１１９】
例えば、第１のパケットのフォーマットは、（図７に示すように）第１のフィールド、第２のフィールド、及び第３のフィールドの逐次フォーマットであってもよく、第３のフィールド、第２のフィールド、及び第１のフィールドの逐次フォーマットであってもよい。これについては、本願において限定されるものではない。しかしながら、ＰＨＹ層モジュールは第１のフィールド、第２のフィールド、及び第３のフィールドの順番に、フィールドを記憶モジュールから読み出す。
【０１２０】
任意選択で、第１のパケットはさらにパケットヘッダを含んでよく、パケットヘッダはＲＲＵのＭＡＣアドレスを示すのに用いられる。言い換えれば、中央ＡＰは、パケットヘッダに基づいてパケット転送及びルーティングを決定する。
【０１２１】
具体的には、中央ＡＰ及びＲＲＵは互いに直接接続されてもよく、１つ又は複数のスイッチを用いて接続されてもよく、第１のパケットのパケットヘッダは、中央ＡＰからＲＲＵ内のＭＡＣ層モジュールへのルーティングパスを示すのに用いられてよい。ＲＲＵは、中央ＡＰにより送信される第１のパケットを受信した後に、パケットヘッダを取り除き、パケットの内容を記憶モジュールに格納する。
【０１２２】
本明細書におけるＭＡＣアドレスは、ＲＲＵ内の８０２．３ＭＡＣ層モジュールのアドレスであってよいことに留意されたい。ＲＲＵがさらにいくつかの８０２．１１ＭＡＣ層モジュールを含む場合、パケットヘッダに含まれるＲＲＵのＭＡＣアドレスは代替的に、ＲＲＵ内の８０２．３ＭＡＣ層モジュールのアドレスであってよい。これについては、本願において限定されるものではない。
【０１２３】
パケットヘッダは、「イーサネット（Ｅｔｈｅｒｎｅｔ、ＥＴＨ）ヘッダ」とも呼ばれ得ることが理解されるはずである。例えば、図７に示すように、パケットヘッダは「ＥＴＨヘッダ」であることを理解されたい。
【０１２４】
任意選択で、第１のフィールドはさらに第１のサブフィールドを含んでよく、第１のサブフィールドは、ＰＨＹ層モジュールのレジスタにおける構成状況パラメータの各構成状況サブパラメータのアドレスを示すのに用いられる。ＰＨＹ層モジュールは、第１のサブフィールドに基づいて、対応するレジスタに各構成状況サブパラメータを格納する。
【０１２５】
具体的には、ＰＨＹ層モジュールは少なくとも１つのレジスタを含んでよく、各レジスタは、構成状況サブパラメータのタイプを格納するように構成されてよい。ＰＨＹ層モジュールは、第１のサブフィールドに基づいて、構成状況サブパラメータの各タイプを、対応するレジスタに格納し、パケット伝送状態の構成を完了してよい。
【０１２６】
例えば、第１のサブフィールドを用いて示される構成状況パラメータは、２つのタイプの構成状況パラメータ（ＦＯＲＭＡＴ及びＭＯＤＵＬＡＴＩＯＮ）を含む。ＰＨＹ層モジュールはレジスタ１及びレジスタ２を含み、レジスタ１はＦＯＲＭＡＴを格納するように構成され、レジスタ２はＭＯＤＵＬＡＴＩＯＮを格納するのに用いられる。ＰＨＹ層モジュールは、第１のサブフィールドに基づいて、ＦＯＲＭＡＴをレジスタ１に、ＭＯＤＵＬＡＴＩＯＮをレジスタ２に格納する必要があるので、開始状態が最適な状態になっており、これにより、パケット伝送の品質が向上する。
【０１２７】
任意選択で、物理層構成状況パラメータ内の複数の構成状況サブパラメータが順に配置されてよい。第１のサブフィールドは、ＰＨＹ層モジュールのレジスタにおける複数の構成状況サブパラメータのベースアドレスを示すのに用いられてよく、それに続くレジスタアドレスが事前設定された順序で配置され、ＰＨＹ層モジュールは複数の構成状況サブパラメータを、対応するレジスタに事前設定された順序で格納する。
【０１２８】
例えば、第１のサブフィールドは「ＴＸＶ  ａｄｄｒ」である。
【０１２９】
任意選択で、第１のフィールドはさらに第２のサブフィールドを含み、第２のサブフィールドはさらに、少なくとも１つの構成状況サブパラメータを搬送するのに用いられるサブフィールドの、第１のフィールド内の位置を示すのに用いられる。
【０１３０】
具体的には、第１のフィールドはさらに、構成状況サブパラメータを搬送するのに用いられる（例えば、図７にｐａｒａ＃１、ｐａｒａ＃２、ｐａｒａ＃３、…と示されるような）少なくとも１つのサブフィールドと、第２のサブフィールドとを含み、第２のサブフィールドは、各構成状況サブパラメータを搬送するのに用いられるサブフィールドの、第１のフィールド内の位置を示すことができる。特に、第１のフィールドに複数の構成状況サブパラメータがある場合、ＰＨＹ層は、各構成状況サブパラメータを示すサブフィールドの位置を第２のサブフィールドに基づいて決定し、さらに、構成状況サブパラメータを、対応するレジスタに格納すると決定する必要がある。
【０１３１】
例えば、図７に示すように、第２のサブフィールドはｐａｒａ  ｆｌａｇ  ｂｉｔであり、ｐａｒａ  ｆｌａｇ  ｂｉｔは、各構成状況サブパラメータの位置を示すのに用いられ、ｐａｒａ  ｆｌａｇ  ｂｉｔの値が、構成状況サブパラメータが有効であるかどうかを示すのに用いられる。各構成状況サブパラメータの位置を示すサブフィールドは、少なくとも１つのビットを占有する。少なくとも１つのビットが有効である場合、各構成状況サブパラメータは、対応するサブフィールドで搬送される。少なくとも１つのビットが無効である場合、第２のサブフィールドを用いて示される構成状況サブパラメータを搬送するサブフィールドが第１のフィールドには存在しない。
【０１３２】
例えば、第２のサブフィールドは
【数１】
2021519563.tif 000003
であり、下線付きの
【数２】
2021519563.tif 000004
は、対応するｐａｒａ＃５が有効であること、すなわち、対応する構成状況サブパラメータがｐａｒａ＃５で搬送されることを示す。例えば、構成状況サブパラメータはＭＣＳである。
【０１３３】
少なくとも１つのビットが有効であるとは、少なくとも１つのビットの値が「１」であることであってよく、少なくとも１つのビットが無効であるとは、少なくとも１つのビットの全ての値が「０」であることであってよいことを理解されたい。
【０１３４】
任意選択で、少なくとも２つの構成状況サブパラメータがある場合、少なくとも２つの構成状況サブパラメータを搬送するサブフィールドが、通信する双方でデフォルトによる事前設定された順序で配置されてよい。このようにして、ＰＨＹ層モジュールは、各サブフィールドを順に読み出すことができ、各フィールドの意味を認識することができる。
【０１３５】
任意選択で、少なくとも２つの構成状況サブパラメータのそれぞれが、事前設定された順序で配置されることは、代替的に、サブフィールドを用いて示されてもよい。すなわち、第２のサブフィールドは必要とされない。
【０１３６】
任意選択で、物理層構成状況パラメータが第１のフィールドを用いて間接的に示される場合、例えば構成状況サブパラメータがインデックス値を用いて示される場合、ＰＨＹ層モジュールは、マッピング関係に基づいて、第１のインデックス値に対応する第１の構成状況サブパラメータを決定してよい。マッピング関係は、少なくとも１つのインデックス値と、少なくとも１つの構成状況サブパラメータとの対応関係である。
【０１３７】
具体的には、マッピング関係は記憶モジュールに格納されてよい。ＰＨＹ層モジュールが第１のインデックス値を記憶モジュールから読み出した後に、ＰＨＹ層モジュールは、第１のインデックス値に対応する第１の構成状況サブパラメータを求めて記憶モジュールを検索してよい。このようにして、第１のサブフィールドは第１のパケットで搬送され、対応する第１のパラメータは、第１のサブフィールドを用いて示されるインデックス値に基づいて決定されるので、第１のパラメータがパケットで直接搬送されるケースが回避され、中央ＡＰとＲＲＵとの間の帯域幅の占有が減少する。
【０１３８】
例えば、マッピング関係は表とみなされてよく、表には、第１のインデックス値及び第１のインデックス値に対応する第１の構成状況サブパラメータ、第２のインデックス値及び第２のインデックス値に対応する第２の構成状況サブパラメータ、並びに第３のインデックス値及び第３のインデックス値に対応する第３の構成状況サブパラメータなどが含まれる。このようにして、ＰＨＹ層モジュールは、表を検索することで、第１のインデックス値に対応するパラメータが第１の構成状況サブパラメータであることを認識できる。
【０１３９】
任意選択で、インデックス値はＭＡＣインデックス値であり、対応するパラメータがチャネル行列パラメータである。
【０１４０】
インデックス値及び対応するパラメータは、代替的に他の情報であってもよいことを理解されたい。マッピング関係が事前に格納され、インデックス値がやり取りされることにより、シグナリングオーバヘッドが減少する。
【０１４１】
例えば、図８に示すように、下線付きの「１」は、ＳＴＡ−ＭＡＣインデックスを示すサブフィールドが第１のフィールドに存在し、対応するチャネル行列パラメータ値がＳＴＡ−ＭＡＣインデックスに基づいて記憶モジュールから取得されることを示している。
【０１４２】
任意選択で、中央ＡＰは、エアインタフェースチャネルの品質を測定するのに用いられるサウンディング（ｓｏｕｎｄｉｎｇ）パケットもＲＲＵに送信してよく、ＲＲＵはサウンディングパケットを受信して、このサウンディングパケットをステーションに転送する。ステーションは、チャネル品質を測定した後に、サウンディングパケットの応答パケットをＲＲＵにフィードバックする。これに応じて、ＲＲＵのＰＨＹ層モジュールは、ステーションによってフィードバックされた応答パケットを受信する。応答パケットはマッピング関係を含む。ＰＨＹ層モジュールがマッピング関係を記憶モジュールに格納することにより、ＲＲＵは記憶モジュールに格納されたマッピング関係を更新する。
【０１４３】
中央ＡＰはサウンディングパケットを周期的に、又は空間チャネルを再度測定する必要があるときに送信してよいことに留意されたい。これについては、本願において限定されるものではない。
【０１４４】
５０４：ＲＲＵは、パケット伝送状態に基づいて、第２のパケットをステーションに送信する。第２のパケットはデータを含む。これに応じて、ステーションは第２のパケットを受信する。
【０１４５】
具体的には、ＲＲＵは、構成済みの構成状態に基づいて、データを含む第２のパケットをステーションに送信する。本願の本実施形態では、中央ＡＰは第１のパケットを生成し、第１のパケットの第１のフィールドは、パケット伝送用に物理層構成状況パラメータを示すのに用いられる。すなわち、ＭＡＣ層機能は中央ＡＰによって実行される。ＲＲＵは、第１のフィールドに基づいてパケット伝送状態を構成することができる、すなわち、ＰＨＹ層機能を実装することができる。言い換えれば、本願の本実施形態では、ＲＲＵのコスト及び電力消費が、遠隔ＭＡＣ層モジュールとＰＨＹ層モジュールとの間のインタラクションによって減少する。
【０１４６】
ＲＲＵとステーションとの間の伝送はエアインタフェース伝送、すなわち、無線ネットワーク伝送であることに留意されたい。
【０１４７】
任意選択で、第１のパケットが第１のフィールド及び第２のフィールドを含む場合、第２のパケットに含まれるデータは、第２のフィールドで搬送されるデータであってよい。
【０１４８】
第２のフィールドが第１のパケットに含まれていない場合、第２のパケットのデータは、別のパケットを用いてＲＲＵにより取得されてよく、これについては本願において限定されるものではないことを理解されたい。
【０１４９】
したがって、本願の本実施形態における信号伝送方法によれば、ＲＲＵは中央ＡＰにより送信される第１のパケットを受信し、第１のパケットの第１のフィールドはパケット伝送用の物理層構成状況パラメータを示すのに用いられる。ＲＲＵは、第１のフィールドに基づいてパケット伝送状態を構成し、パケット伝送状態に基づいて、データを含む第２のパケットをステーションに送信する。このようにして、ＭＡＣ層の機能の中央ＡＰへの移管が、本願の本実施形態において実現されることにより、ＲＲＵのＣＰＵのオーバヘッドが減少する、すなわち、ＲＲＵのコスト及び電力消費が減少する。
【０１５０】
図９は、本願による信号伝送方法の概略フローチャートである。
【０１５１】
本願の本実施形態及び図５〜図８に示す前述の実施形態における同じ用語は同じ意味を有するので、ここでは繰り返しを避けるために説明しないことを理解されたい。
【０１５２】
９０１：中央ＡＰが、ＲＲＵ内のＰＨＹ層モジュールを用いてサウンディングパケットをステーションに送信する。サウンディングパケットは、ＲＲＵとステーションとの間のエアインタフェースチャネルの品質を検出するのに用いられる。
【０１５３】
９０２：ステーションは、検出結果に基づいてサウンディングパケットの応答パケットを生成し、応答パケットをＲＲＵのＰＨＹ層モジュールに送信する。応答パケットはまた、少なくとも１つのパラメータと少なくとも１つのインデックス値とを示すマッピング関係を搬送する。
【０１５４】
ＰＨＹ層モジュールは応答パケットを中央ＡＰに転送してよいことを理解されたい。
【０１５５】
応答パケットはまた、ステーションのＭＡＣアドレスとチャネル行列パラメータとを搬送してよいことも理解されたい。
【０１５６】
９０３：ＰＨＹ層モジュールは、応答パケット内のマッピング関係をコピーして、そのマッピング関係を記憶モジュールに格納する。
【０１５７】
段階９０１〜９０３は、周期的に実行されてもよく、空間チャネルを再度測定する必要があるときに実行されてもよく、あるいは、第１のフィールドを用いて示される物理層構成状況パラメータがチャネル行列パラメータを含む場合に実行されることに留意されたい。さらに、段階９０１〜９０３は代替的に、段階９０７の前の任意の段階で実行されてもよい。
【０１５８】
９０４：中央ＡＰのＭＡＣ層モジュールが第１のフィールドを含む第１のパケットを生成する。第１のフィールドは、パケット伝送用の物理層構成状況パラメータを示す。
【０１５９】
９０５：中央ＡＰのＭＡＣ層モジュールは第１のパケットをＲＲＵに送信する。
【０１６０】
９０６：ＲＲＵ内の記憶モジュールは第１のパケットを記憶モジュールに格納する。
【０１６１】
９０７：ＲＲＵ内のＰＨＹ層モジュールは第１のパケットを記憶モジュールから読み出す。
【０１６２】
任意選択で、第１のフィールドを用いて示される物理層構成状況パラメータがチャネル行列パラメータを含む場合、第１のパケットは、チャネル行列パラメータに対応するＭＡＣインデックス値を示すサブフィールドだけを含んでよい。このようにして、ＰＨＹモジュールは、受信した第１のＭＡＣインデックス値に基づいて、第１のＭＡＣインデックス値に対応する第１のチャネル行列パラメータを求めて記憶モジュールを検索してよい。
【０１６３】
９０８：ＰＨＹ層モジュールは、第１のパケット内の第１のフィールドを用いて示される内容を、対応するレジスタに格納して、パケット伝送状態の構成を完了してよい。
【０１６４】
９０９：ＰＨＹ層モジュールは第２のパケットをステーションに送信する。
【０１６５】
図１０は、本願の一実施形態によるＲＲＵ１０００の概略ブロック図である。
【０１６６】
本願の本実施形態及び図５〜図９に示す前述の実施形態における同じ用語は、同じ意味を有することを理解されたい。
【０１６７】
ＲＲＵ１０００は、処理モジュールと送受信機モジュールとを含む。
【０１６８】
送受信機モジュールは、中央アクセススポイントＡＰにより送信される第１のパケットを受信するように構成され、第１のパケットは第１のフィールドを含み、第１のフィールドはパケット伝送用の物理層構成状況パラメータを示すのに用いられる。
【０１６９】
処理モジュールは、第１のフィールドに基づいてパケット伝送状態を構成するように構成される。
【０１７０】
送受信機モジュールはさらに、パケット伝送状態に基づいて第２のパケットをステーションに送信するように構成され、第２のパケットはデータを含む。
【０１７１】
任意選択で、物理層構成状況パラメータは以下の構成状況サブパラメータのうちの少なくとも１つを含む。すなわち、エアインタフェースパケットを示すフォーマット、エアインタフェースパケットがサウンディングフレームであるかどうか、エアインタフェースパケットの伝送速度、エアインタフェースパケットの変調フォーマット、エアインタフェースパケットのバイト長、スクランブラの初期設定値、エアインタフェースパケットを伝送するための伝送エネルギーレベル、エアインタフェースパケットのプリアンブルタイプ、エアインタフェースパケットを伝送するためのチャネル幅、エアインタフェースパケットを伝送するためのチャネルオフセット、エアインタフェースパケットを伝送するためのガードインターバル、エアインタフェースパケットの拡張空間ストリームの数、エアインタフェースパケットの伝送チェーンの数、エアインタフェースパケットのチャネル行列、及びエアインタフェースパケットの拡張行列タイプのうちの少なくとも１つである。
【０１７２】
任意選択で、物理層構成状況パラメータはプリミティブ（ＴＸＶＥＣＴＯＲ）パラメータである。
【０１７３】
任意選択で、第１のパケットはさらに第２のフィールドを含み、第２のフィールドはデータを搬送するのに用いられる。
【０１７４】
任意選択で、第１のパケットはさらに第３のフィールドを含み、第３のフィールドはパケット終了識別子を搬送するのに用いられる。送受信機モジュールはさらに、終了指示情報を受信するように構成される。
【０１７５】
任意選択で、第１のフィールドは第１のインデックス値を搬送し、処理モジュールは具体的には、第１のインデックス値とマッピング関係とに基づいて、第１のインデックス値に対応する第１の構成状況サブパラメータを決定することであって、マッピング関係は少なくとも１つのインデックス値と少なくとも１つの構成状況サブパラメータとのマッピング関係である、決定することと、第１の構成状況サブパラメータに基づいてパケット伝送状態を構成することとを行うように構成される。
【０１７６】
任意選択で、第１のインデックス値は媒体アクセス制御ＭＡＣインデックス値であり、構成状況サブパラメータはチャネル行列パラメータである。
【０１７７】
任意選択で、送受信機モジュールはさらに、サウンディングパケットを受信することであって、サウンディングパケットはエアインタフェースチャネルの品質を測定するのに用いられる、受信することと、サウンディングパケットをステーションに送信することと、サウンディングパケットの応答パケットを受信することであって、応答パケットはマッピング関係を含む、受信することとを行うように構成される。
【０１７８】
任意選択で、ＲＲＵはさらに記憶モジュール１０１０を含み、処理モジュールは物理ＰＨＹ層モジュール１０２０である。記憶モジュールは第１のパケットをバッファに移すように構成され、ＰＨＹ層モジュールは第１のパケットを記憶モジュールから取得するように構成される。
【０１７９】
任意選択で、第１のパケットはさらに第２のフィールド及び第３のフィールドを含み、第２のフィールドはデータを搬送するのに用いられ、第３のフィールドはパケット終了識別子を搬送するのに用いられる。第１のフィールド、第２のフィールド、及び第３のフィールドは第１のパケットに順に配置され、ＰＨＹ層モジュールにある第１のフィールド、第２のフィールド、及び第３のフィールドは記憶モジュールから順に取得される。
【０１８０】
任意選択で、第１のフィールドは第１のサブフィールドを含み、第１のサブフィールドは、ＰＨＹ層モジュールのレジスタにおける物理層構成状況パラメータの各構成状況サブパラメータのアドレスを示すのに用いられる。ＰＨＹ層モジュール１０２０は具体的には、第１のサブフィールドに基づいて、物理層構成状況パラメータの各構成状況サブパラメータをＰＨＹ層モジュールの対応するレジスタに格納するように構成される。
【０１８１】
任意選択で、第１のフィールドはさらに第２のサブフィールドを含み、第２のサブフィールドは、第１のフィールドにあって且つ物理層構成状況パラメータの構成状況サブパラメータを示すのに用いられるサブフィールドの位置を示す。ＰＨＹ層モジュール１０２０は具体的には、第２のサブフィールドに基づいて、物理層構成状況パラメータの構成状況サブパラメータを記憶モジュールから取得するように構成される。
【０１８２】
任意選択で、第１のパケットはさらにパケットヘッダを含み、パケットヘッダはＲＲＵのＭＡＣアドレスを示す。
【０１８３】
任意選択で、ＲＲＵ１０００はＭＡＣ層モジュール１０３０を含み、ＭＡＣ層モジュール１０３０は、遅延が事前設定された時間閾値より短いという要件を有する制御情報を処理するように構成される。言い換えれば、ＲＲＵは、処理遅延要件に敏感なデータ又はサービスをＲＲＵ内で処理し、サービス又はデータの遅延要件を満たしてよい。
【０１８４】
任意選択で、事前設定された時間閾値は１６μｓであってよい。この場合、遅延要件が１６μｓより長い又はそれに等しい場合、中央ＡＰ内でＭＡＣ層機能が処理される。遅延要件が１６μｓより短い場合、ＲＲＵ内でＭＡＣ層機能は処理される。
【０１８５】
例えば、送信要求（ｒｅｑｕｅｓｔ  ｔｏ  ｓｅｎｄ、ＲＴＳ）、受信可能（ｃｌｅａｒ  ｔｏ  ｓｅｎｄ，  ＣＴＳ）、及び確認応答文字（ａｃｋｎｏｗｌｅｄｇｅｍｅｎｔ  ｃｈａｒａｃｔｅｒ、ＡＣＫ）などが、ＲＲＵで行われてよい。
【０１８６】
事前設定された時間閾値は、１５μｓ又は１３μｓなどでよいが、これについては本願において限定されるものではないことを理解されたい。
【０１８７】
任意選択で、記憶モジュールのメモリが事前設定された容量閾値未満であってもよい。具体的には、ＲＲＵ１０００がＭＡＣ層機能又はいくつかのサービスのＭＡＣ層機能を処理する必要がない場合、より低いメモリ容量を有する記憶モジュールだけが、ＲＲＵのコストを低下させるために設定されてよい。
【０１８８】
任意選択で、事前設定された容量閾値Ｌの値が、４ＭＢ≦Ｌ≦８ＭＢの範囲内の任意の値であってよい。例えば、事前設定された容量閾値は、５ＭＢ又は７ＭＢなどであってよい。
【０１８９】
記憶モジュールは、外部記憶デバイスであってもよく、ＲＲＵ内に統合されてもよいことに留意されたい。例えば、記憶モジュールは小容量バッファ（ｓｍａｌｌ  ｂｕｆｆｅｒ）である。これについては、本願の本実施形態において限定されるものではない。
【０１９０】
任意選択で、ＲＲＵ１０００はさらに、中央ＡＰと通信するように構成された少なくとも１つのイーサネットインタフェースを含んでよく、例えば、ＲＲＵは中央ＡＰにより送信される第１のパケットを、イーサネットインタフェースを通じて受信してよい。
【０１９１】
任意選択で、イーサネットインタフェースは、ＧＥ  ＲＪ  ４５又はＧＥ  ＳＦＰインタフェースなどであってもよい。
【０１９２】
本明細書におけるＰＨＹ層は、８０２．１１ＰＨＹ層の機能を実行するのに用いられることに留意されたい。
【０１９３】
任意選択で、ＲＲＵ１０００はさらに、ステーションと通信するように構成された少なくとも１つのアンテナコネクタを含んでよい。
【０１９４】
図１１は、本願の一実施形態による中央ＡＰ１１００の概略ブロック図である。中央ＡＰ１１００は、送受信機モジュールと処理モジュールとを含む。
【０１９５】
処理モジュールはパケットを生成するように構成され、パケットは第１のフィールドを含み、第１のフィールドはパケット伝送用の物理層構成状況パラメータを示すのに用いられる。
【０１９６】
送受信機モジュールは、パケットを遠隔無線ユニットＲＲＵに送信するように構成される。
【０１９７】
具体的には、処理モジュールは、ＭＡＣ層モジュール１１１０の機能を実行するように構成される。言い換えれば、少なくとも１つのＲＲＵのＭＡＣ機能が中央ＡＰ１１００に移管され、そのような処理後のデータがイーサネット（Ｅｔｈｅｒｎｅｔ、ＥＴＨ）インタフェースを通じてＲＲＵに送信されることにより、低機能ＣＰＵ（例えば、ＣＰＵは構成だけを担う）がＲＲＵに実装される、又はＣＰＵさえもＲＲＵに実装されないので、ＲＲＵの複雑性、電力消費、及びコストが減少する。
【０１９８】
処理モジュールはＣＰＵであっても、バッファ（ｂｕｆｆｅｒ）であってもよいことに留意されたい。
【０１９９】
任意選択で、中央ＡＰ１１００はさらに記憶モジュールを含んでよい。処理モジュールは、制御情報を処理し、処理モジュールの処理結果を記憶モジュールに格納する。ＭＡＣ層モジュール１１１０は、処理結果を記憶モジュールから読み出して、第１のパケットを生成する。
【０２００】
任意選択で、記憶モジュールはＤＤＲであってよい。
【０２０１】
任意選択で、ＤＤＲのメモリが２５６ＭＢであってよい。
【０２０２】
任意選択で、物理層構成状況パラメータは以下の構成状況サブパラメータのうちの少なくとも１つを含む。すなわち、エアインタフェースパケットを示すフォーマット、エアインタフェースパケットがサウンディングフレームであるかどうか、エアインタフェースパケットの伝送速度、エアインタフェースパケットの変調フォーマット、エアインタフェースパケットのバイト長、スクランブラの初期設定値、エアインタフェースパケットを伝送するための伝送エネルギーレベル、エアインタフェースパケットのプリアンブルタイプ、エアインタフェースパケットを伝送するためのチャネル幅、エアインタフェースパケットを伝送するためのチャネルオフセット、エアインタフェースパケットを伝送するためのガードインターバル、エアインタフェースパケットの拡張空間ストリームの数、エアインタフェースパケットの伝送チェーンの数、エアインタフェースパケットのチャネル行列、及びエアインタフェースパケットの拡張行列タイプのうちの少なくとも１つである。
【０２０３】
任意選択で、物理層構成状況パラメータはプリミティブ（ＴＸＶＥＣＴＯＲ）パラメータである。
【０２０４】
任意選択で、パケットはさらに第２のフィールドを含み、第２のフィールドはデータを搬送するのに用いられる。
【０２０５】
任意選択で、パケットはさらに第３のフィールドを含み、第３のフィールドはパケット終了識別子を搬送するのに用いられる。送受信機モジュールはさらに、終了指示情報を受信するように構成される。
【０２０６】
任意選択で、パケット内にある第１のフィールド、第２のフィールド、及び第３のフィールドは順に配置される。
【０２０７】
任意選択で、第１のフィールドは第１のインデックス値を搬送し、第１のインデックス値は第１の構成状況サブパラメータに対応する。
【０２０８】
任意選択で、第１のインデックス値は媒体アクセス制御ＭＡＣインデックス値であり、第１の構成状況サブパラメータはチャネル行列パラメータである。
【０２０９】
任意選択で、送受信機モジュールはさらに、サウンディングパケットをＲＲＵに送信することであって、サウンディングパケットはエアインタフェースチャネルの品質を測定するのに用いられる、送信することと、ＲＲＵにより送信されるサウンディングパケットの応答パケットを受信することであって、応答パケットは少なくとも１つのインデックス値と少なくとも１つの構成状況サブパラメータとのマッピング関係を含む、受信することとを行うように構成される。
【０２１０】
任意選択で、第１のフィールドは第１のサブフィールドを含み、第１のサブフィールドは、ＲＲＵのＰＨＹ層モジュールのレジスタにおける物理層構成状況パラメータの各構成状況サブパラメータのアドレスを示すのに用いられる。
【０２１１】
任意選択で、第１のフィールドは第２のサブフィールドを含み、第２のサブフィールドは、第１のフィールドにあって且つ物理層構成状況パラメータの少なくとも１つの構成状況サブパラメータを示すのに用いられるサブフィールドの位置を示す。
【０２１２】
任意選択で、処理モジュールはＭＡＣ層モジュール１１１０であってよい。
【０２１３】
ＭＡＣ層モジュール１１１０は具体的には、第１のパケットを生成するように構成される。
【０２１４】
任意選択で、パケットはさらにパケットヘッダを含み、パケットヘッダはＲＲＵのＭＡＣアドレスを示す。
【０２１５】
図１２は、本願の一実施形態による通信システム１２００の概略ブロック図である。図１２に示すように、通信システム１２００は中央ＡＰ１０００と少なくとも１つのＲＲＵ１１００とを含む。
【０２１６】
本願の本実施形態における通信システムによれば、ＭＡＣ層機能が中央ＡＰのクラウドに集中化されることにより、ＭＡＣ層の統計的多重化能力が向上し、ハードウェアリソースの利用率が向上する。さらに、ＭＡＣ層機能が中央ＡＰに集中化されると、マルチＲＲＵによる連携が実現されて、ネットワーク全体の観点から複雑なスケジューリングを実施できるので、Ｗｉ‐Ｆｉ性能が向上する。
【０２１７】
図１３は、本願の別の実施形態による通信システム１３００の概略ブロック図である。図１３に示すように、通信システム１３００は、中央ＡＰ１０００と、少なくとも１つのＲＲＵ１１００と、ステーション１３１０とを含む。ステーション１３１０は、図５又は図９のステーションに対応してよい。
【０２１８】
図１４は、本願の一実施形態による信号伝送装置１４００の概略構造図である。装置１４００は、送受信機１４１０とプロセッサ１４２０とを含む。プロセッサ１４２０は、前述の方法の対応する機能を実行する際に、ＲＲＵ又は中央ＡＰをサポートするように構成されてよく、送受信機１４１０は、ＲＲＵと中央ＡＰとの間の通信をサポートし、前述の方法の対応する情報又は命令を受信又は伝送するように構成されてよい。一例では、プロセッサ１４２０は、ベースバンド処理及び無線周波数処理を信号に対して行ってよく、送受信機１４１０（例えば、アンテナ）はこの信号を受信し、また伝送してよい。例えば、プロセッサは、ベースバンド処理及び無線周波数処理を信号に対して行い、測定信号を生成してよく、測定信号はアンテナを用いて送り出される。別の例では、プロセッサ１４２０はベースバンド信号を生成してよく、送受信機１４１０は、無線周波数処理をベースバンド信号に対して行うように構成された無線周波数回路を含んでよい。無線周波数回路は、低周波ベースバンド信号を変調し、高周波搬送波信号を取得するように構成されてよく、高周波搬送波信号はアンテナを用いて伝送される。無線周波数回路は、アンテナを用いて受信される高周波信号を復調し、低周波搬送波信号を取得するのにも用いられてよい。例えば、プロセッサ１４２０は測定信号を生成してよく、次いで送受信機１４１０は、測定信号に対して処理（例えば、アナログ変換、フィルタリング、増幅、及びアップコンバージョン）を行い、処理した測定信号を中央ＡＰに送信する。送受信機１４１０はさらに、受信した信号に対して処理（例えば、フィルタリング、増幅、ダウンコンバージョン、又はデジタル化）を行ってもよいことが理解されるであろう。例えば、送受信機１４１０は、受信した測定信号に対して、例えば、フィルタリング、増幅、ダウンコンバージョン、又はデジタル化といった処理を行う。
【０２１９】
任意選択で、装置１４００はさらにメモリ１４３０を含んでよい。メモリ１４３０は、指示情報を格納するように構成されてよく、さらに、プロセッサ１４２０により実行されるコード又は命令などを格納するように構成されてよい。送受信機は、無線周波数回路を含んでよい。任意選択で、ＲＲＵはさらに記憶ユニットを含む。
【０２２０】
記憶ユニットは、例えば、メモリであってよい。ＲＲＵが記憶ユニットを含む場合、記憶ユニットはコンピュータ実行可能命令を格納するように構成され、処理モジュールは記憶ユニットに接続され、処理モジュールは記憶ユニットに格納されたコンピュータ実行可能命令を実行して、ＲＲＵが前述の方法を実行できるようにする。
【０２２１】
任意選択で、装置１４００がＲＲＵ内のチップである場合、このチップはプロセッサ１４２０と送受信機１４１０とを含む。送受信機１４２０は、例えば、チップ上の入力／出力インタフェース、ピン、又は回路であってもよい。プロセッサ１４１０は、記憶ユニットに格納されたコンピュータ実行可能命令を実行してよい。
【０２２２】
任意選択で、記憶ユニットは、レジスタ又はバッファなどの、チップ内の記憶ユニットであってもよく、あるいは、記憶ユニットはＲＲＵ内であるがチップの外側にある記憶ユニット、例えば、リードオンリメモリ（ｒｅａｄ−ｏｎｌｙ  ｍｅｍｏｒｙ、ＲＯＭ）、静的な情報及び命令を格納できる別のタイプの静的記憶デバイス、又はランダムアクセスメモリ（ｒａｎｄｏｍ  ａｃｃｅｓｓ  ｍｅｍｏｒｙ、ＲＡＭ）などであってもよい。
【０２２３】
本願の本実施形態におけるプロセッサ１４２０は、信号処理能力を有する集積回路チップであってよいことを理解されたい。実装プロセスでは、前述の方法の実施形態における様々な段階が、プロセッサ内のハードウェア統合論理回路を用いて、又はソフトウェア形態の命令を用いて実装されてよい。プロセッサは、汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ  ｐｒｏｇｒａｍｍａｂｌｅ  ｇａｔｅ  ａｒｒａｙ、ＦＰＧＡ）若しくは別のプログラム可能な論理デバイス、ディスクリートゲート若しくはトランジスタ論理デバイス、又はディスクリートハードウェアコンポーネントであってもよい。プロセッサは、本願の実施形態に開示されている方法、段階、及び論理ブロック図を実装又は実行できる。汎用プロセッサはマイクロプロセッサであってもよく、プロセッサは任意の従来のプロセッサなどであってもよい。本願の実施形態を参照して開示された方法の各段階は、ハードウェア復号プロセッサにより実行されるものとして直接具現化されてもよく、復号プロセッサのハードウェアとソフトウェアモジュールとの組み合わせによって実行されてもよい。ソフトウェアモジュールは、当技術分野の成熟した記憶媒体に、例えば、ランダムアクセスメモリ、フラッシュメモリ、リードオンリメモリ、プログラム可能型リードオンリメモリ、電気的消去可能プログラム可能型メモリ、又はレジスタなどに配置されてもよい。記憶媒体はメモリ内に配置され、プロセッサはメモリ内の情報を読み出し、プロセッサのハードウェアを組み合わせることにより、前述の方法の各段階を完了する。
【０２２４】
本願の本実施形態のメモリ１４３０は、揮発性メモリでも不揮発性メモリでもよく、揮発性メモリ及び不揮発性メモリを両方とも含んでよいことが理解されるであろう。不揮発性メモリは、リードオンリメモリ（ｒｅａｄ−ｏｎｌｙ  ｍｅｍｏｒｙ、ＲＯＭ）、プログラム可能型リードオンリメモリ（ｐｒｏｇｒａｍｍａｂｌｅ  ＲＯＭ、ＰＲＯＭ）、消去可能プログラム可能型リードオンリメモリ（ｅｒａｓａｂｌｅ  ＰＲＯＭ、ＥＰＲＯＭ）、電気的消去可能プログラム可能型リードオンリメモリ（ｅｌｅｃｔｒｉｃａｌｌｙ  ＥＰＲＯＭ、ＥＥＰＲＯＭ）、又はフラッシュメモリであってもよい。揮発性メモリは、ランダムアクセスメモリ（ｒａｎｄｏｍ  ａｃｃｅｓｓ  ｍｅｍｏｒｙ、ＲＡＭ）であってよく、外部キャッシュとして用いられる。限定的な説明ではなく例として、多くの形態のＲＡＭが用いられてよい。例えば、スタティックランダムアクセスメモリ（ｓｔａｔｉｃ  ＲＡＭ、ＳＲＡＭ）、ダイナミックランダムアクセスメモリ（ｄｙｎａｍｉｃ  ＲＡＭ、ＤＲＡＭ）、同期ダイナミックランダムアクセスメモリ（ｓｙｎｃｈｒｏｎｏｕｓ  ＤＲＡＭ、ＳＤＲＡＭ）、ダブルデータレート同期ダイナミックランダムアクセスメモリ（ｄｏｕｂｌｅ  ｄａｔａ  ｒａｔｅ  ＳＤＲＡＭ、ＤＤＲ  ＳＤＲＡＭ）、拡張同期ダイナミックランダムアクセスメモリ（ｅｎｈａｎｃｅｄ  ＳＤＲＡＭ、ＥＳＤＲＡＭ）、同期リンクダイナミックランダムアクセスメモリ（ｓｙｎｃｈｒｏｎｏｕｓ  ｌｉｎｋ  ＤＲＡＭ、ＳＬＤＲＡＭ）、及びダイレクトラムバスランダムアクセスメモリ（ｄｉｒｅｃｔ  ｒａｍｂｕｓ  ＲＡＭ、ＤＲ  ＲＡＭ）である。本明細書で説明されたシステム及び方法のメモリは、限定されるものではないが、前述のメモリ及び任意の他の適切なタイプのメモリを含むことに留意されたい。
【０２２５】
本願の一実施形態がさらにコンピュータ記憶媒体を提供する。コンピュータ記憶媒体は前述の複数の方法のうちのいずれか１つを示すプログラム命令を格納してよい。
【０２２６】
任意選択で、記憶媒体は具体的には、メモリ１４３０であってよい。
【０２２７】
本願の一実施形態はさらにチップシステムを提供する。チップシステムは、前述の実施形態における各機能を実装する際に、分散型ユニット、集中型ユニット、中央ＡＰ、及びＲＲＵをサポートするように構成され、例えば、前述の方法においてデータ及び／又は情報を生成又は処理するプロセッサを含む。
【０２２８】
実行可能な設計例では、チップシステムはさらにメモリを含み、メモリは、分散型ユニット、集中型ユニット、中央ＡＰ、及びＲＲＵに必要なプログラム命令及びデータを格納するように構成される。チップシステムはチップを含んでも、チップ及び別のディスクリートデバイスを含んでもよい。
【０２２９】
本明細書における用語「及び／又は（ａｎｄ／ｏｒ）」は、関連対象物の説明に関して対応関係だけを説明し、３つの関係が存在し得ることを表していることを理解されたい。例えば、Ａ及び／又はＢとは、以下の３つのケースを表してよい。つまり、Ａだけが存在する、Ａ及びＢが両方との存在する、Ｂだけが存在するという３つのケースである。さらに、本明細書における記号「／」は、概して、関連対象物間の「又は」の関係を示している。
【０２３０】
当業者であれば、本明細書に開示された実施形態を参照して説明された例における各ユニット及び各アルゴリズム段階が、電気的ハードウェアによって、又はコンピュータソフトウェアと電子的ハードウェアとの組み合わせによって実装され得ることを認識するであろう。これらの機能がハードウェアによって実行されるのか、ソフトウェアによって実行されるのかは、特定の用途及び技術的解決手段の設計制約条件によって決まる。当業者であれば、異なる方法を用いて、説明された機能を特定の用途ごとに実装するかもしれないが、その実装例が本願の範囲を超えるものとみなされるべきではない。
【０２３１】
簡便且つ簡潔な説明のために、前述のシステム、装置、ユニットの詳細な動作プロセスについては、前述の方法の実施形態における対応するプロセスを参照されたく、詳細は再度ここで説明しないことが、当業者によって明確に理解されるであろう。
【０２３２】
本願で提供されたいくつかの実施形態では、開示されたシステム、装置、及び方法が他の方式で実現されてもよいことを理解されたい。例えば、説明された装置の実施形態は、単なる一例にすぎない。例えば、ユニットの分割は単なる論理機能の分割にすぎず、実際の実装においては他の分割であってもよい。例えば、複数のユニット又はコンポーネントが組み合わされても、別のシステムに統合されてもよく、一部の機能が無視されても、実行されなくてもよい。さらに、示された又は説明された相互結合又は直接結合又は通信接続は、いくつかのインタフェースを用いて実装されてよい。複数の装置間又は複数のユニット間の間接的な結合又は通信接続は、電子的形態、機械的形態、又は他の形態で実装されてよい。
【０２３３】
別個の部分として説明されたユニットは、物理的に離れていてもそうでなくてもよい。あるいは、ユニットとして示された部分が、物理的なユニットであってもそうでなくてもよく、一カ所に配置されてもよく、複数のネットワークユニットに分散されてもよい。これらのユニットの一部又は全部が、これらの実施形態の解決手段の目的を実現するために、実際の要件に基づいて選択されてよい。
【０２３４】
さらに、本願の実施形態における機能ユニットが１つの処理ユニットに統合されてもよく、各ユニットが物理的に単独で存在してもよく、２つ又はそれより多くのユニットが１つのユニットに統合される。
【０２３５】
これらの機能がソフトウェア機能ユニットの形態で実装され、独立した製品として販売又は使用される場合、これらの機能は、コンピュータ可読記憶媒体に格納されてよい。そのような理解に基づいて、基本的には本願の技術的解決手段、又は先行技術に寄与する部分、又は技術的解決手段の一部が、ソフトウェア製品の形態で実装されてよい。コンピュータソフトウェア製品は、記憶媒体に格納され、本願の実施形態で説明された方法の段階の全部又は一部を実行するようコンピュータデバイス（パーソナルコンピュータ、サーバ、又はネットワークデバイスなどであってよい）に命令するための命令を含む。前述の記憶媒体は、プログラムコードを格納できるあらゆる媒体、例えば、ＵＳＢフラッシュドライブ、リムーバブルハードディスク、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、又は光ディスクなどを含む。
【０２３６】
前述の説明は、本願の単なる特定の実装例にすぎず、本願の保護範囲を限定することを意図してはいない。本願に開示された技術的範囲内で当業者により容易に考え出される、あらゆる変形又は置換は、本願の保護範囲に含まれることになる。したがって、本願の保護範囲は特許請求の範囲の保護範囲に従うことになる。
【図１】
2021519563.tif 000005
【図２】
2021519563.tif 000006
【図３】
2021519563.tif 000007
【図４】
2021519563.tif 000008
【図５】
2021519563.tif 000009
【図６】
2021519563.tif 000010
【図７】
2021519563.tif 000011
【図８】
2021519563.tif 000012
【図９】
2021519563.tif 000013
【図１０】
2021519563.tif 000014
【図１１】
2021519563.tif 000015
【図１２】
2021519563.tif 000016
【図１３】
2021519563.tif 000017
【図１４】
2021519563.tif 000018
【国際調査報告】
2021519563.tif 000019
2021519563.tif 000020
2021519563.tif 000021
2021519563.tif 000022